(57)【要約】【課題】自局側に記憶している音楽データを保留音として再生するハンズフリーシステムにおいて、保留音と再生用の音楽の判別が容易なハンズフリーシステム及び保留音出力方法を提供すること。【解決手段】通話先２００の保留を検出して、自局側５０に記憶する音楽データ３８を保留音として再生するハンズフリーシステム１００であって、通話先２００から送信されたＤＴＭＦ信号により通話先の保留を検出する保留音開始検出手段３４と、保留が検出された場合に、現在再生している音楽データ３８とは異なる音楽データ３８を保留音に決定する保留音決定手段３５と、を有することを特徴とする。【選択図】図１
2009260480.tif 000002
【特許請求の範囲】
【請求項１】
通話先の保留を検出して、自局側に記憶する音楽データを保留音として再生するハンズフリーシステムであって、
通話先から送信されたＤＴＭＦ信号により通話先の保留を検出する保留音開始検出手段と、
保留が検出された場合に、現在再生している音楽データとは異なる音楽データを保留音に決定する保留音決定手段と、
を有することを特徴とするハンズフリーシステム。
【請求項２】
前記保留音開始検出手段は、ＤＴＭＦ信号でなく、ショートメッセージサービスにより送信された電子メールから通話先の保留を検出する、
ことを特徴とする請求項１記載のハンズフリーシステム。
【請求項３】
前記保留音決定手段は、最後に再生してから最も時間が経過している音楽データを保留音に決定する、
ことを特徴とする請求項１又は２記載のハンズフリーシステム。
【請求項４】
保留音として再生する音楽データを所定時間毎に切り替える保留音切り替え手段、
を有することを特徴とする請求項１〜３いずれか１項記載のハンズフリーシステム。
【請求項５】
通話先の保留を検出して、自局側に記憶する音楽データを保留音として再生するハンズフリーシステムの保留音出力方法において、
保留音開始検出手段が、通話先から送信されたＤＴＭＦ信号により通話先の保留を検出するステップと、
保留音決定手段が、保留が検出された場合に、現在再生している音楽データとは異なる音楽データを保留音に決定するステップと、
を有することを特徴とする保留音出力方法。
【発明の詳細な説明】
【技術分野】
【０００１】
本発明は、車両に搭載されるハンズフリーシステム等に関し、特に、高品質な保留音を出力可能なハンズフリーシステム及び保留音出力方法に関する。
【背景技術】
【０００２】
車両を運転中でも所望の場合には運転者が通話できるように、車両にハンズフリー通話装置を備える場合がある。ハンズフリー装置は電話機（例えば携帯電話）が受信した通話先の音声信号を車両のスピーカから出力し、また、運転者の発声した音声を車両のマイクで集音して電話機に送信し、電話機から通話先に送信するという手順を採用する。このように、電話機として使用する機能は電話機により提供されるので、発呼された場合の着信音は、電話機に記憶された音楽データが再生されたものである。そこで、車両で再生可能な音楽ソースから乗員が所望の着信音を選択する技術が提案されている（例えば、特許文献１参照。）。
【０００３】
ところで、通話中、通話先が保留にした場合、通話先の電話が保留音を再生すれば、ハンズフリー装置を介して車両のスピーカから出力されることになる。しかしながら、通話先が再生する保留音は、自局側では選択できず好みでない保留音を聞かざるを得ない場合がある。この点について、自局側から保留中の通話先に保留音の選択信号を送信して通話先の保留音を自局側から選択する技術が提案されている（例えば、特許文献２参照。）。
【０００４】
しかしながら、車両は移動体という特徴上、有線通話よりもさらに帯域を制限された無線により通話するという制約があるため、保留音が車両のスピーカから出力される時点では、音質が劣化してしまうという問題がある。この点について、通話先の保留を検出した場合に自局側で記憶している保留音を再生する技術が提案されている（例えば、特許文献３参照。）。特許文献３には、例えば自局側のユーザの嗜好にあった保留音を記憶しておき、回線の影響を受けずに好みの保留音を高音質で出力することができる電話装置が記載されている。
【特許文献１】特開２００４−２０１２４９号公報
【特許文献２】特開平５−１０３０６２号公報
【特許文献３】特開２００２−１６６９５号公報
【発明の開示】
【発明が解決しようとする課題】
【０００５】
ところで、近年、音楽の視聴形態の多様化が進んでおり、携帯端末やナビなどの車載装置により音楽データを再生することができる場合がある。この場合、車載装置が記憶する音楽データを保留音とすることで、乗員の嗜好にあった音楽を保留音にすることができる。
【０００６】
しかしながら、再生用の音楽と保留音が同じだと、通話先と通話している間にすでに流れていた音楽がそのまま保留音となる可能性が生じ、車両の乗員は保留状態なのか単に再生用の音楽が流れているかの判別が困難になるという問題がある。また、再生中の音楽が別の保留音に切り替わり、車両の乗員が保留状態に切り替わったことを把握できた場合でも、保留状態が長く続くと時間の経過に伴い、保留状態か単に音楽が再生されているのかの判断が困難になるおそれがある。
【０００７】
本発明は、上記課題に鑑み、自局側に記憶している音楽データを保留音として再生するハンズフリーシステムにおいて、保留音と再生用の音楽の判別が容易なハンズフリーシステム及び保留音出力方法を提供することを目的とする。
【課題を解決するための手段】
【０００８】
上記課題に鑑み、本発明は、通話先の保留を検出して、自局側に記憶する音楽データを保留音として再生するハンズフリーシステムであって、通話先から送信されたＤＴＭＦ信号により通話先の保留を検出する保留音開始検出手段と、保留が検出された場合に、現在再生している音楽データとは異なる音楽データを保留音に決定する保留音決定手段と、を有することを特徴とする。
【０００９】
本発明によれば、ハンズフリーシステムに記憶している音楽データを保留音として再生するので回線の影響を受けることなく高品質の保留音を出力することができ、再生中の音楽データと異なる音楽データを再生するので、保留音と視聴する音楽データと容易に判別することができる。
【００１０】
また、本発明の一形態において、保留音開始検出手段は、ＤＴＭＦ信号でなく、ショートメッセージサービスにより送信された電子メールから通話先の保留を検出する、ことを特徴とする。
【００１１】
本発明によれば、ショートメッセージによりデジタルデータから保留を検出するので、より確実に保留を検出することができる。
【発明の効果】
【００１２】
自局側に記憶している音楽データを保留音として再生するハンズフリーシステムにおいて、保留音と再生用の音楽の判別が容易なハンズフリーシステム及び保留音出力方法を提供することができる。
【発明を実施するための最良の形態】
【００１３】
以下、本発明を実施するための最良の形態について図面を参照しながら実施例を挙げて説明する。
【実施例１】
【００１４】
図１は、通話システム３００の概略構成図の一例を示す。通話システム３００は、車載されたハンズフリーシステム１００、ハンズフリーシステム１００が接続する基地局８０、通話先であるオペレータ９０が使用する電話システム２００とを有する。
【００１５】
ハンズフリーシステム１００は、車両の乗員（例えば、運転者）が携帯する携帯電話７０、携帯電話７０が電話システム２００から受信した音声をスピーカ６０に仲介すると共に乗員が発声した音声をマイク４０で集音して携帯電話７０に仲介する車両用情報端末５０、を備える。
【００１６】
なお、携帯電話７０は、ＰＨＳ（Personal  Handyphone  System）、ＩＰ電話機等であってもよい。また、車両用情報端末５０は例えばナビゲーションシステムが兼用することができる。また、本実施形態では、乗員に施設や経路案内などのサービスを提供するサービスセンタのオペレータ９０と乗員との通話を例に説明するが、乗員の通話先が他の携帯電話等であっても好適に適用することができる。
【００１７】
かかる本実施形態の通話システム３００において、オペレータ９０が電話システム２００を操作して通話を保留にすると、保留音開始情報が車両用情報端末５０に送信され、ハンズフリーシステム１００は予め記憶している音楽データを再生する。したがって、電話システム２００及び基地局８０による変調や、携帯電話７０や車両用情報端末５０による復調を経ることなく（以下、「回線の影響なく」という）、高音質な保留音を出力することができる。
【００１８】
また、本実施形態のハンズフリーシステム１００は、さらに次のようにして音楽データを選択・再生する。
Ａ-１）最後の再生時が最も古い音楽データを保留音として出力する。
Ａ-２）保留音開始情報を受信した際に既に音楽データを再生している場合、再生している音楽データと異なる音楽データを保留音として出力する。
Ａ-３）保留音開始情報を受信した際に既に音楽データを再生している場合、再生している音楽データと特徴の異なる音楽データを保留音として出力する。
Ｂ）保留音を出力した後、所定時間（例えば１０秒）毎に、再生する音楽データを切り替える。
【００１９】
Ａ-１）〜Ａ-３）により、記憶している音楽データが再生されても、乗員はそれが保留音として再生されたものであることを容易に把握することができる。また、Ｂ）により、保留状態が長く継続しても、所定時間毎に保留音が切り替わるので、乗員は保留状態であることを定期的に把握することができる。
【００２０】
図２は、通話システム３００の機能ブロック図の一例を示す。携帯電話７０は移動体である車両に乗車している乗員に携帯されており、携帯電話７０と車両用情報端末５０とは有線又は無線で接続されハンズフリーによる通話を可能としている。本実施形態ではＢｌｕｅｔｏｏｔｈ（登録商標。以下、ＢＴという。）により携帯電話７０と車両用情報端末５０とが通信するものするが、ＺｉｇｂｅｅやＵＷＢ（Ultra  Wide  Band）等の通信規格により通信してもよい。
【００２１】
電話システム２００は公知の電話機であって、オペレータ９０の音声を集音するマイク２４、乗員が発声した音声を出力するスピーカ２５、ユーザの操作（特に、保留、保留の解除）を入力するための操作部２３、及び、通信網に接続するための回線接続部２１を有する。電話システム２００は、従来の一般加入電話であってもよいし、ＩＰ電話でもよい。
【００２２】
ＩＰ電話の場合、ＳＩＰ（Session  Initiation  Protocol；ＲＦＣ２５４３）と呼ばれる呼制御プロトコルにより、セッションの確立、変更、終了を制御し、上位のプロトコルであるＳＭＴＰ（Simple  Mail  Transfer  Protocol）、ＨＴＴＰ（HyperText  Transfer  Protocol）など種々の通信手順を、発信側と着信側の間で確立したコネクション上において実行することが可能である。ＩＰ電話の場合、回線接続部２１は、ＶｏＩＰ（Voice  over  Internet  Protocol）に従い音声を符号化してパケットに格納しＩＰネットワークに接続するＮＩＣ（Network  Interface  Card）やモデムである。
【００２３】
本実施例の電話システム２００は、保留時に保留開始情報を送信し、保留の終了時に保留解除情報を車両用情報端末５０に送信する。電話システム２００がプッシュボタンを備えている場合、ＤＴＭＦ(Dual-Tone  Multi-Frequency)信号を保留開始情報及び保留解除情報に用いることができる。ＤＴＭＦ信号では、操作部２３のプッシュボタンの１〜９、Ａ〜Ｄ、＃、＊の１６種類に対応する信号を送信できるので、例えば、保留開始情報と保留解除情報に１〜３つ程度のＤＴＭＦ信号の組み合わせ（例えば、保留開始情報に１、１２又は１２３、保留音解除情報に７，７８又は７８９）をそれぞれ割り当てておくことで、電話システム２００から保留開始と保留終了を車両用情報端末５０に通知することができる。組み合わせるＤＴＭＦ信号の数は少ない方が乗員に違和感を感じさせないが、多い方が確実に保留開始情報と保留解除情報を送信できることになる。
【００２４】
オペレータ９０が直接、操作部２３の３つのプッシュボタンを操作してもよいし、操作部２３の保留ボタンを操作することで制御部２２が割り当てられたＤＴＭＦ信号を自動的に送信してもよい。後者の場合、オペレータ９０が保留及び保留解除の３つのプッシュボタンを操作する必要がないので操作性が向上する。
【００２５】
車両用情報端末５０について説明する。ＳＷ類１１は、電話回線のオンフックＳＷ、オフフックするためのオフフックＳＷ、及び、音声認識用のトークＳＷである。オフフックＳＷを押下すると車両用情報端末５０は電話モードとなり、表示装置１２には電話制御のための電話画面が表示される。電話画面には電話番号を入力するためのテンキーや電話帳等が表示される。なお、ＳＷ類１１を操作するのでなく、音声認識による音声操作によってオンフック又はオフフックしてもよい。この場合、乗員はＳＷ類１１に触れる必要がないので完全なハンズフリーを実現できる。
表示装置１２は液晶ディスプレイや有機ＥＬディスプレイ、又は、ヘッドアップディスプレイなどであり、その周囲に車両用情報端末５０を操作するキーボード式の操作部を有し、また、ユーザの接触位置から操作情報を取得するタッチパネルを備える。表示装置１２には、電話番号等の他、自車位置と共に道路地図等が表示される。
【００２６】
乗員が発声した音声はマイク４０により集音され電気信号に変換された後、音声処理部３１により符号化され、ＢＴユニット１４が符号化された音声情報を携帯電話７０に送信する。携帯電話７０も同様にＢＴユニット７１を備え、受信した音声情報を通信網に適切なフォーマットで通話先に送信する。
【００２７】
また、通話先からの音声情報は携帯電話７０のＢＴユニット７１が車両用情報端末５０のＢＴユニット１４に送信し、音声処理部３１がこれを電気信号に変換してスピーカ６０から出力する。通話先からの音声情報には、保留音開始情報と保留音解除情報が含まれるが、ＢＴユニット１４が扱う時点ではデジタルデータとなっているので、後述するように音声処理部３１が施すエコーキャンセルの仕組みを利用して保留音開始情報及び保留音解除情報を検出する。
【００２８】
ＢＴによる通信について簡単に説明する。ＢＴでは、ＳＣＯ（synchronous  connection  oriented：同期接続）接続とＡＣＬ（Asynchronous  Connectionless  Link：非同期接続）とが定義されている。ＳＣＯ接続はＢＴユニット１４と７１との間に形成される回線接続タイプのポイント・ツー・ポイント・リンクであり、主に音声信号の転送に使用される。また、ＡＣＬ  接続はパケット交換タイプの接続を行うリンクであり、主にデータ送信に使用される。
【００２９】
また、ＢＴでは、各種の機器が互いに通信できるようプロファイルを定めている。ＢＴユニット１４と７１が同じプロファイルを備えることで相互の接続を確保している。プロファイルには、ＢＴ接続の基本的な条件を規定しているＧＡＰ（Generic  Access  Profile）、利用可能なサービスを見つけるためのＳＡＤ（Service  Discovery  Application  Profile）、シリアル通信をエミュレートする際の条件を規定してＳＰＰ（Serial  Port  Profile）等、種々のプロファイルが規定されている。ハンズフリーを実現するにはＨＦＰ（Hands  Free  Profile）を実装することが推奨されており、ＨＦＰは、音声の入出力、ＡＴコマンドの取り扱い、電波の強さや発信者番号通知などの伝達、リダイヤルや電話帳機能の利用、エコーキャンセルなどを規定している。
【００３０】
メモリ１５は、フラッシュメモリやハードディスクドライブなどの不揮発性メモリであって、複数の音楽データ３８を記憶している。音楽データ３８はＷＭＡ（Windows  Media  Audio）やＭＰ３などのフォーマットでコーデック（符号・圧縮）されており、デコーダーやソフトウェア（音楽再生部３３）により復号・伸長されてスピーカ６０から出力される。なお、音楽データ３８は、ＣＤ、ＤＶＤ、ＭＤ等に記憶されていてもよい。
【００３１】
この音楽データ３８は、乗員が携帯電話７０からコピーしたり、サーバからダウンロードした、乗員の嗜好にあった音楽の音楽データである。本実施例ではこの音楽データ３８が保留音となるが、これとは別に保留音用のオリジナル保留音３９を記憶していてもよい。また、記憶している音楽データ３８の全てを保留音の対象とするのでなく、乗員が指定した音楽データ３８のみを保留音とすることもできる。
【００３２】
また、メモリ１５には音楽データ３８の再生リスト３７が記憶されている。図３は再生リスト３７の一例を示す。再生リスト３７は音楽データ３８を一意に識別する識別ＩＤに対応づけて、「インストールした日」「最後に再生した日」「特徴情報」「再生中」の項目を有する。再生中の音楽データ３８には「※」マークが登録されている。
【００３３】
特徴情報は、音楽データ３８の例えば電子指紋である。電子指紋の抽出には公知の構成を利用でき、たとえば、スペクトルのピーク、スペクトルの扁平、フーリエ係数、等を用いて音楽データ３８の特徴を数値化したものである。したがって、この再生リスト３７を参照することで、上記のＡ-１）〜Ａ３）に示した音楽データ３８の選択を実現できる。
【００３４】
車両用情報端末５０は、ＣＰＵ１３又はＡＳＩＣ（Application  Specific  Integrated  Circuit）等のハードウェアにより実現される、音楽データ３８を再生する音楽再生部３３、保留音開始・解除検出部３４、保留音決定部３５、保留音を切り替える保留音切り替え部３６、及び、電話システム２００から受信した保留音の出力を禁止する保留音出力禁止部３２、を有する。
【００３５】
保留音開始・解除検出部３４は、保留音開始情報及び保留音解除情報に含まれる上記のＤＴＭＦ信号を検出する。スピーカ６０が出力した音声はマイク４０に混入するのでそのままではオペレータ９０の発声した音声がオペレータ９０に送信されてしまう。このため、音声処理部３１はマイク４０から集音した音声信号から、スピーカ６０が出力する音声信号の位相を１８０度ずらした信号（周囲の音響特性による変化分を修正した疑似エコー信号）を減算する、エコーキャンセル処理を実行している。保留音開始・解除検出部３４は、疑似エコー信号を生成するために監視している音声信号を例えばフーリエ変換してＤＴＭＦ信号を抽出し、予め定められた保留音開始情報又は保留音解除情報が含まれているか否かを監視する。
【００３６】
保留音決定部３５は、保留音開始・解除検出部３４が保留音開始情報を検出した場合に、再生する音楽データ３８を決定する。まず、保留音決定部３５は、最後の再生時が最も古い音楽データ３８を保留音に決定する。また、保留音決定部３５は、再生リスト３７を参照して、すでに音楽データ３８が再生中であれば、再生中の音楽データ３８以外の音楽データ３８の中で、最後の再生時が最も古い音楽データ３８を保留音に決定する。
【００３７】
また、保留音決定部３５は、すでに音楽データ３８が再生中である場合、再生中の音楽データ３８とその特徴情報が最も相違する音楽データ３８を、保留音に決定してもよい。所定の関数により２つの音楽データ３８の特徴情報から相関値を算出したり、２つの音楽データ３８の差分の２乗から特徴情報が異なる音楽データ３８を保留音に決定する。このように、特徴情報の異なる音楽が保留音となることで、保留音開始情報により再生された音楽が保留のために再生されたことを乗員に把握させやすくすることができる。
【００３８】
なお、再生時が最も古い音楽データ３８を保留音に決定するか、特徴が異なる音楽データ３８を保留音に決定するかは、予め乗員により設定されている。また、保留音決定部３５が自動的に（例えば、交互、ランダム）切り替えてもよい。
【００３９】
保留音切り替え部３６は、決定した保留音を所定時間毎に切り替える。この場合、２番目に出力される保留音（音楽データ３８）は、例えば、最後の再生日時が２番目に古いものであり、３番目に出力される保留音（音楽データ３８）は、最後の再生日時が３番目に古いものである。または、２番目に出力される保留音（音楽データ３８）は１番目の保留音と最も特徴が異なる音楽データであり、３番目に出力される保留音（音楽データ３８）は２番目の保留音と最も特徴が異なる音楽データである。
【００４０】
図４は、本実施例のハンズフリーシステム１００が記憶している音楽データ３８を保留音として再生する手順を示すシーケンス図である。図４のシーケンス図は、例えばオペレータ９０と乗員が通話した場合（オフフックＳＷを操作した場合）にスタートする。
【００４１】
オペレータ９０が所望のタイミングで操作部２３から保留操作を入力するとＤＴＭＦ信号による保留開始情報がハンズフリーシステム１００に送信される（Ｓ１１０）。
【００４２】
保留音開始・解除検出部３４は、音声信号から保留音開始情報を検出する（Ｓ１０）。保留音開始情報を検出すると、保留音決定部３５は保留音を決定する（Ｓ２０）。すなわち、音楽データ３８を再生していない場合は、保留音決定部３５は最後に再生した日時が最も古い音楽データ３８を保留音に決定する。音楽データ３８を再生している場合、保留音決定部３５は、再生中の音楽データと異なる音楽データであって、最後に再生した日時が最も古い音楽データ３８又は特徴情報が最も相違する音楽データ３８を、保留音に決定する。
【００４３】
保留音が決定されると、音楽再生部３３が音楽データ３８を再生して保留音を出力する（Ｓ３０）。なお、音楽データを再生していた場合、音楽再生部３３は、中断した音楽データ３８の再生位置を記憶しておくことが好ましい。これにより、保留が解除された場合に、中断した位置から音楽データ３８を再生することができる。
【００４４】
また、オペレータ９０が保留にしたことに伴い、電話システム２００から通話先の保留音が受信される場合がある。このため、保留音出力禁止部３２は、電話システム２００から受信した保留音の出力を禁止する。保留音出力禁止部３２は、例えばＢＴユニット１４が受信した音声信号であって、保留音解除情報が含まれているか否かを保留音開始・解除検出部３４が判定した音声信号を破棄する。
【００４５】
メモリ１５に記憶している音楽データ３８を保留音として再生しながら、保留音開始・解除検出部３４は保留音解除情報を受信したか否かを判定する（Ｓ４０）。保留音解除情報を検出するまでは（Ｓ４０のＮｏ）、保留音切り替え部３６は所定時間が経過したか否かを判定する（Ｓ５０）。そして、所定時間が経過すると（Ｓ５０のＹｅｓ）、保留音切り替え部３６は保留音を切り替え（Ｓ６０）、ステップＳ３０以降の処理を繰り返す。切り替えることで、保留状態が長くなっても乗員は保留状態であることを把握できる。
【００４６】
ステップＳ４０に戻り、保留音解除情報を検出した場合（Ｓ４０のＹｅｓ）、音楽再生部３３は保留音の再生を終了し、中断した音楽データ３８があれば中断した再生位置から再生を再開する（Ｓ７０）。
【００４７】
したがって、本実施例の通話システム３００によれば、ハンズフリーシステム１００に記憶している音楽データ３８を保留音として再生するので回線の影響を受けることなく高品質の保留音を出力することができる。また、再生中の音楽データ３８と異なる音楽データ３８又は最後に再生した日時が最も古い音楽データ３８を保留音に決定し、また、保留音を所定時間毎に切り替えるので、保留音として再生する音楽データ３８を視聴する音楽データ３８と容易に判別することができる。
【実施例２】
【００４８】
実施例１ではＤＴＭＦ信号により保留音開始情報及び保留音解除情報を送信したが、本実施例でＳＭＳ（Short  Message  Service）を利用して保留音開始情報及び保留音解除情報を送信する。ＳＭＳは、送信可能な文字数、ＩＰ網（インターネット）を利用できないという制約がある反面、電話番号により相手を指定して電子メールを送信できるので電話番号さえ既知であれば電話システム２００からハンズフリーシステム１００にＳＭＳによりデジタルデータを送信することができる。デジタルデータであるので、実施例１のようにＤＴＭＦ信号を検出するよりも確実に保留音開始情報及び保留音解除情報を送信することができる。
【００４９】
図５は、本実施例の通話システム３００の概略構成図を示す。なお、図５において図２と同一部には同一の符号を付しその説明は省略する。本実施例においても、車両の乗員がサービスセンタのオペレータ９０と通話している間に、オペレータ９０が保留操作する点で同様である。そして、保留操作に対し、電話システム２００はＳＭＳにより保留音開始情報をハンズフリーシステム１００に送信する。また、オペレータ９０が保留を解除した場合、電話システム２００はＳＭＳにより保留音解除情報をハンズフリーシステム１００に送信する。
【００５０】
ハンズフリーシステム１００は、ＳＭＳに格納された保留音開始情報又は保留音解除情報を抽出して、実施例１と同様に音楽データ３８を保留音として再生する。
【００５１】
なお、本実施例では、携帯電話７０を介することなくＳＭＳを直接ハンズフリーシステム１００に送信するため、本実施例のハンズフリーシステム１００は、通信モジュール４１を備える。なお、実施例１と同様に、携帯電話７０により電話システム２００と通話してもよい。この場合、携帯電話７０は受信したショートメッセージを、ＢＴ等によりハンズフリーシステム１００に送信する。
【００５２】
図６は、本実施例の通話システム３００の機能ブロック図の一例を示す。図６において図２と同一部分には同一の符号を付しその説明は省略する。図６の電話システム２００は、ショートメッセージを送信するために通信装置２６を有する。電話システム２００が携帯電話であれば、電話番号を宛先に指定するだけでショートメッセージを送信することができる。電話システム２００が携帯電話でない場合、例えばコンピュータのような情報処理端末の場合、ＳＭＳを送信するにはいくつか方法がある。例えば、通信モジュール４１を提供する事業者のゲートウェイに接続し事業者にショートメッセージの送信を要求する方法がある。また、Ｗｅｂ上で提供されているＩＰネットワークからＳＭＳを利用するサービスが利用してもよいし、スカイプ（登録商標）のようなソフトウェアをインストールすることでショートメッセージを送信してもよい。したがって、電話システム２００がコンピュータの場合、通信装置２６はインターネットなどのＩＰネットワークに接続するＮＩＣやモデムである。
【００５３】
また、電話システム２００は、制御部２２がプログラムを実行して実現するショートメッセージ生成部２７を有する。ショートメッセージ生成部２７は、オペレータ９０が操作部２３から保留操作を入力すると、保留音開始情報を有するショートメッセージを生成し、オペレータ９０が保留解除を操作部２３から入力すると、保留音解除情報を有するショートメッセージを生成する。
【００５４】
図７は、ショートメッセージのフォーマットの一例を示す。ＳＭＳのプロトコルスタック層の１つであるＳＭＳテレサービス層では、ＳＭＳ伝送メッセージ(SMS  Deliver  Message)を使用して、ショートメッセージを移動局（ハンズフリーシステム１００）へ送り、ＳＭＳ送出メッセージ（SMS  Submit  Message）を使用して、ショートメッセージを移動局から受信する。これらのメッセージは多数のサブパラメータを含んでおり、このうちユーザデータに、保留音解錠情報又は保留音解錠情報が格納される。
【００５５】
また、本実施例ではハンズフリーシステム１００が直接、基地局８０に接続するので通信モジュール４１を有する。通信モジュール４１は携帯電話７０と同等の機能を備え、基地局８０に接続し音声情報を受信する。また、通信モジュール４１は、ショートメッセージを受信して車両用情報端末５０に送出する。
【００５６】
本実施例の保留音開始・解除検出部３４は、図７に示したショートメッセージのユーザデータから保留音開始情報又は保留音解除情報を抽出して、オペレータ９０が保留したこと及びオペレータ９０が保留解除したことを検出する。
【００５７】
なお、ハンズフリーシステム１００が記憶している音楽データ３８を保留音として再生する手順を示すシーケンス図については図４と同様であるので説明を省略する。
【００５８】
以上説明したように、本実施例の通話システム３００によれば、実施例１の効果に加え、ＳＭＳによりデジタルデータで保留音開始情報及び保留音解除情報を送信するので確実に保留の開始及び解除を通知することができる。
【図面の簡単な説明】
【００５９】
【図１】通話システムの概略構成図の一例である。
【図２】通話システムの機能ブロック図の一例である。
【図３】再生リストの一例を示す図である。
【図４】ハンズフリーシステムが記憶している音楽データを保留音として再生する手順を示すシーケンス図の一例である。
【図５】通話システムの概略構成図の一例である（実施例２）。
【図６】通話システムの機能ブロック図の一例である（実施例２）。
【図７】ショートメッセージのフォーマットの一例を示す図である。
【符号の説明】
【００６０】
４０    マイク
５０    車両用情報端末
６０    スピーカ
７０    携帯電話
８０    基地局
９０    オペレータ
１００  ハンズフリーシステム
２００  電話システム
３００  通話システム
【図１】
2009260480.tif 000003
【図２】
2009260480.tif 000004
【図３】
2009260480.tif 000005
【図４】
2009260480.tif 000006
【図５】
2009260480.tif 000007
【図６】
2009260480.tif 000008
【図７】
2009260480.tif 000009